(57)【要約】【課題】充電時間を十分に確保しにくいような場合においても、充電された被充電機器の中に使用開始後早期にバッテリ残量が少なくなる被充電機器が含まれるのを抑制することが可能な充電装置および充電方法を提供することである。【解決手段】この充電装置１０は、複数の被充電機器４０ａ〜４０ｃを並行して充電することが可能な送電コイル１３と、被充電機器４０ａ〜４０ｃを充電するように送電コイル１３を制御する充電制御部１５とを備え、充電制御部１５は、複数の被充電機器４０ａ〜４０ｃの各々のバッテリ残量またはバッテリ消費量の少なくとも一方に基づいて、各々の被充電機器４０ａ〜４０ｃのいずれか１つまたは複数を並行して充電する制御を行うように構成されている。【選択図】図３
2014230433.tif 000002
【特許請求の範囲】
【請求項１】
複数の被充電機器を並行して充電することが可能な充電部と、
前記被充電機器を充電するように前記充電部を制御する充電制御部とを備え、
前記充電制御部は、前記複数の被充電機器の各々のバッテリ残量またはバッテリ消費量の少なくとも一方に基づいて、各々の前記被充電機器のいずれか１つまたは複数を並行して充電する制御を行うように構成されている、充電装置。
【請求項２】
前記充電制御部は、前記複数の被充電機器の各々のバッテリ残量またはバッテリ消費量の少なくとも一方に基づいて、前記複数の被充電機器を充電する際の順序を選定するとともに、前記選定された順序に基づいて各々の前記被充電機器のいずれか１つまたは複数を並行して充電する制御を行うように構成されている、請求項１に記載の充電装置。
【請求項３】
前記充電制御部は、前記複数の被充電機器の各々のバッテリ残量またはバッテリ消費量の少なくとも一方に基づいて、前記複数の被充電機器の各々のバッテリ残量またはバッテリ消費量の少なくとも一方が充電時において互いに略等しくなるように各々の前記被充電機器のいずれか１つまたは複数を並行して充電する制御を行うように構成されている、請求項１または２に記載の充電装置。
【請求項４】
前記バッテリ残量は、バッテリ残容量またはバッテリ動作可能時間を含む、請求項１〜３のいずれか１項に記載の充電装置。
【請求項５】
前記充電制御部は、前記複数の被充電機器のうち前記充電部によって充電中の被充電機器のバッテリ残量またはバッテリ消費量が、前記充電部により充電されていない被充電機器のバッテリ残量またはバッテリ消費量と略等しくなった際に、前記充電中の被充電機器に加えて、前記バッテリ残量またはバッテリ消費量が略等しくなった前記充電されていない被充電機器を並行して充電する制御を行うように構成されている、請求項１〜４のいずれか１項に記載の充電装置。
【請求項６】
前記充電制御部は、前記複数の被充電機器の各々のバッテリ残量またはバッテリ消費量の少なくとも一方に基づいて前記複数の被充電機器を充電する際の順序を選定するとともに、前記充電部により充電される前記複数の被充電機器の個数が前記被充電機器の追加または削除により変化した場合に、個数が変化した前記複数の被充電機器のバッテリ残量またはバッテリ消費量の少なくとも一方に基づいて前記複数の被充電機器を充電する際の順序を再度選定する制御を行うように構成されている、請求項１〜５のいずれか１項に記載の充電装置。
【請求項７】
充電に関する情報を表示する表示部をさらに備え、
前記充電制御部は、前記複数の被充電機器の個数が前記被充電機器の追加により変化した場合に、前記複数の被充電機器を充電する際の順序を再度選定するか否かについて問合わせる表示を前記表示部に表示する制御を行うように構成されている、請求項６に記載の充電装置。
【請求項８】
複数の被充電機器の各々のバッテリ残量またはバッテリ消費量の少なくとも一方を取得するステップと、
前記取得したバッテリ残量またはバッテリ消費量の少なくとも一方に基づいて、各々の前記被充電機器のいずれか１つまたは複数を並行して充電するステップとを備えた、充電方法。
【請求項９】
前記充電するステップは、前記複数の被充電機器の各々のバッテリ残量またはバッテリ消費量の少なくとも一方に基づいて、前記複数の被充電機器の各々のバッテリ残量またはバッテリ消費量の少なくとも一方が充電時において互いに略等しくなるように各々の前記被充電機器のいずれか１つまたは複数を並行して充電するステップを含む、請求項８に記載の充電方法。
【発明の詳細な説明】
【技術分野】
【０００１】
この発明は、充電装置および充電方法に関し、特に、複数の被充電機器を充電可能な充電装置および充電方法に関する。
【背景技術】
【０００２】
従来、複数の被充電機器を充電可能な充電装置が知られている（たとえば、特許文献１参照）。
【０００３】
上記特許文献１には、複数の被充電機器を充電可能な充電装置が開示されている。この充電装置は、各被充電機器に記録されている優先設定の情報に基づいて特定の被充電機器を優先的に充電するように構成されている。具体的には、充電装置は、優先設定がＯＮ（オン状態）にされている被充電機器を優先的に充電するとともに、優先設定がＯＮの被充電機器の充電が完了した後、優先設定がＯＦＦ（オフ状態）の被充電機器の充電を開始するように構成されている。
【先行技術文献】
【特許文献】
【０００４】
【特許文献１】特開２０１０−２２１０５号公報
【発明の概要】
【発明が解決しようとする課題】
【０００５】
しかしながら、上記特許文献１の充電装置では、優先設定がＯＮ（オン状態）の被充電機器は、優先設定がＯＦＦ（オフ状態）の被充電機器よりも先に充電動作が完了する一方、優先設定がＯＦＦの被充電機器は、充電動作自体が後回しにされてしまう。このため、充電時間を十分に確保することが困難な場合には、優先設定がＯＮの被充電機器に対する充電のみが行われる一方、優先設定がＯＦＦの被充電機器は、充電動作が後回しにされて充電量が不十分かまたは充電が全く行われないままの状態で再び使用しなければならない状況が生じ得る。この場合、優先設定がＯＦＦの被充電機器においては、使用開始後早期にバッテリ残量が少なくなりやすいという問題点がある。
【０００６】
この発明は、上記のような課題を解決するためになされたものであり、この発明の１つの目的は、複数の被充電機器を充電する際に、充電時間を十分に確保しにくいような場合においても、充電された被充電機器の中に、使用開始後早期にバッテリ残量が少なくなる被充電機器が含まれるのを抑制することが可能な充電装置および充電方法を提供することである。
【課題を解決するための手段】
【０００７】
この発明の第１の局面による充電装置は、複数の被充電機器を並行して充電することが可能な充電部と、被充電機器を充電するように充電部を制御する充電制御部とを備え、充電制御部は、複数の被充電機器の各々のバッテリ残量またはバッテリ消費量の少なくとも一方に基づいて、各々の被充電機器のいずれか１つまたは複数を並行して充電する制御を行うように構成されている。
【０００８】
この発明の第１の局面による充電装置では、上記のように、複数の被充電機器の各々のバッテリ残量またはバッテリ消費量の少なくとも一方に基づいて、各々の被充電機器のいずれか１つまたは複数を並行して充電する制御を行うように充電制御部を構成することによって、各被充電機器のバッテリ残量またはバッテリ消費量の少なくとも一方が把握された状態で各々の被充電機器への充電動作が行われるので、複数の被充電機器の中に充電動作が完全に後回しにされて、充電量が不十分かまたは充電が全く行われないままの被充電機器が発生するのを回避することができる。これにより、充電時間を十分に確保しにくいような場合においても、充電された被充電機器の中に、使用開始後早期にバッテリ残量が少なくなる被充電機器が含まれるのを抑制することができる。
【０００９】
上記第１の局面による充電装置において、好ましくは、充電制御部は、複数の被充電機器の各々のバッテリ残量またはバッテリ消費量の少なくとも一方に基づいて、複数の被充電機器を充電する際の順序を選定するとともに、選定された順序に基づいて各々の被充電機器のいずれか１つまたは複数を並行して充電する制御を行うように構成されている。このように構成すれば、バッテリ残量またはバッテリ消費量の少なくとも一方に基づいて、複数の被充電機器を充電する際の順序を最適化することができるので、各々の被充電機器に対して充電時間を十分に確保しにくいような場合においても、充電された被充電機器の中に、使用開始後早期にバッテリ残量が少なくなる被充電機器が発生することを確実に抑制することができる。
【００１０】
上記第１の局面による充電装置において、好ましくは、充電制御部は、複数の被充電機器の各々のバッテリ残量またはバッテリ消費量の少なくとも一方に基づいて、複数の被充電機器の各々のバッテリ残量またはバッテリ消費量の少なくとも一方が充電時において互いに略等しくなるように各々の被充電機器のいずれか１つまたは複数を並行して充電する制御を行うように構成されている。このように構成すれば、充電後の複数の被充電機器が有するバッテリ残量またはバッテリ消費量を互いに略均等化させることができるので、いずれの被充電機器においても使用開始後早期にバッテリ残量が少なくなるのを抑制して、一定の使用時間を確保することができる。
【００１１】
上記第１の局面による充電装置において、好ましくは、バッテリ残量は、バッテリ残容量またはバッテリ動作可能時間を含む。このように構成すれば、バッテリ残量がバッテリ残容量である場合には、バッテリ残量がバッテリ動作可能時間である場合と比較して、バッテリの消費状態を容易に把握することができる。また、バッテリ残量がバッテリ動作可能時間である場合には、バッテリ残量がバッテリ残容量である場合と異なり、各々の被充電機器における使用時間のばらつきを抑制することができる。
【００１２】
上記第１の局面による充電装置において、好ましくは、充電制御部は、複数の被充電機器のうち充電部によって充電中の被充電機器のバッテリ残量またはバッテリ消費量が、充電部により充電されていない被充電機器のバッテリ残量またはバッテリ消費量と略等しくなった際に、充電中の被充電機器に加えて、バッテリ残量またはバッテリ消費量が略等しくなった充電されていない被充電機器を並行して充電する制御を行うように構成されている。このように構成すれば、バッテリ残量またはバッテリ消費量の略等しくなった複数の被充電機器をさらに同時並行的に充電することができるので、充電後の複数の被充電機器が有するバッテリ残量またはバッテリ消費量を互いに略均等化させることができる。
【００１３】
上記第１の局面による充電装置において、好ましくは、充電制御部は、複数の被充電機器の各々のバッテリ残量またはバッテリ消費量の少なくとも一方に基づいて複数の被充電機器を充電する際の順序を選定するとともに、充電部により充電される複数の被充電機器の個数が被充電機器の追加または削除により変化した場合に、個数が変化した複数の被充電機器のバッテリ残量またはバッテリ消費量の少なくとも一方に基づいて複数の被充電機器を充電する際の順序を再度選定する制御を行うように構成されている。このように構成すれば、被充電機器が追加された場合には、充電する順序を再度選定することにより追加された被充電機器の充電が後回しにされるのを防ぐことができるので、被充電機器が追加される前の時点で充電動作を継続していた被充電機器の充電が完了するまでの間に追加された被充電機器を使用するような場合でも、使用開始後早期にバッテリ残量が少なくなる被充電機器が生じることを抑制することができる。また、被充電機器が削除された場合には、充電する順序を再度選定することにより削除された被充電機器に対する充電時間を他の被充電機器に対する充電時間に置き換えることができるので、被充電機器が削除される前の時点で充電の順序が遅く選定されていた被充電機器を繰り上げてより早く充電することができる。
【００１４】
この場合、好ましくは、充電に関する情報を表示する表示部をさらに備え、充電制御部は、複数の被充電機器の個数が被充電機器の追加により変化した場合に、複数の被充電機器を充電する際の順序を再度選定するか否かについて問合わせる表示を表示部に表示する制御を行うように構成されている。このように構成すれば、ユーザが、充電する順序を再度選定する必要がないと判断した場合には、追加された被充電機器を後回しにして充電することができるので、被充電機器の個数を追加する前の時点で充電の順序が早く選定されていた被充電機器を優先して迅速に充電することができる。
【００１５】
この発明の第２の局面による充電方法は、複数の被充電機器の各々のバッテリ残量またはバッテリ消費量の少なくとも一方を取得するステップと、取得したバッテリ残量またはバッテリ消費量の少なくとも一方に基づいて、各々の被充電機器のいずれか１つまたは複数を並行して充電するステップとを備えている。
【００１６】
この発明の第２の局面による充電方法では、上記のように、複数の被充電機器の各々のバッテリ残量またはバッテリ消費量の少なくとも一方を取得するステップと、取得したバッテリ残量またはバッテリ消費量の少なくとも一方に基づいて、各々の被充電機器のいずれか１つまたは複数を並行して充電するステップとを設けることによって、各被充電機器のバッテリ残量またはバッテリ消費量の少なくとも一方が把握された状態で各々の被充電機器への充電動作が行われるので、複数の被充電機器の中に充電動作が完全に後回しにされて、充電量が不十分かまたは充電が全く行われないままの被充電機器が発生するのを回避することができる。これにより、複数の被充電機器を充電する際に、充電時間を十分に確保しにくいような場合においても、充電された被充電機器の中に、使用開始後早期にバッテリ残量が少なくなる被充電機器が含まれるのを抑制することができる。
【００１７】
この場合、好ましくは、充電するステップは、複数の被充電機器の各々のバッテリ残量またはバッテリ消費量の少なくとも一方に基づいて、複数の被充電機器の各々のバッテリ残量またはバッテリ消費量の少なくとも一方が充電時において互いに略等しくなるように各々の被充電機器のいずれか１つまたは複数を並行して充電するステップを含む。このように構成すれば、充電後の複数の被充電機器が有するバッテリ残量またはバッテリ消費量を互いに略均等化させることができるので、いずれの被充電機器においても使用開始後早期にバッテリ残量が少なくなるのを抑制して、一定の使用時間を確保することができる。
【発明の効果】
【００１８】
本発明によれば、上記のように、充電時間を十分に確保しにくいような場合においても、充電された被充電機器の中に使用開始後早期にバッテリ残量が少なくなる被充電機器が含まれるのを抑制することができる。
【図面の簡単な説明】
【００１９】
【図１】本発明の第１実施形態による充電装置および被充電機器の全体構成を示した図である。
【図２】本発明の第１実施形態による充電装置および被充電機器の構成を示したブロック図である。
【図３】本発明の第１実施形態による充電装置の充電経過時間とバッテリ残容量との関係を示した図である。
【図４】本発明の第１実施形態による充電装置による充電処理を説明するためのフローチャートである。
【図５】本発明の第２実施形態による充電装置の充電経過時間とバッテリ動作可能時間との関係を示した図である。
【図６】本発明の第２実施形態による充電装置による充電処理を説明するためのフローチャートである。
【図７】本発明の第３実施形態による充電装置の充電経過時間とバッテリ消費量との関係を示した図である。
【図８】本発明の第３実施形態による充電装置による充電処理を説明するためのフローチャートである。
【発明を実施するための形態】
【００２０】
（第１実施形態）
以下、図１〜図４を参照して、本発明の第１実施形態による充電装置１０の構成について説明する。
【００２１】
本発明の第１実施形態による充電装置１０は、図１に示すように、複数（３台）の被充電機器４０を充電装置１０の充電台１１上に載置して、それぞれの被充電機器４０に対して順番に充電を行うことが可能なように構成されている。また、充電は、１台の被充電機器４０ごとに行うことも可能であるし、同時に複数（２台または３台）の被充電機器４０に対して行うことも可能である。また、充電装置１０は、複数の被充電機器４０のバッテリ残容量（バッテリ容量に対するバッテリ４７（図２参照）の残量の割合）が略等しくなるように、バッテリ残容量が最も少ない被充電機器４０から充電するように構成されている。なお、図１では、３台の被充電機器４０ａ〜４０ｃを設置した場合を示している。
【００２２】
具体的には、充電装置１０は、図２に示すように、受信部１２と、複数の送電コイル１３と、複数のコイル励振部１４と、充電制御部１５と、表示部１６と、アダプタ１７と、ＤＣ／ＤＣコンバータ１８とを備えている。また、充電装置１０は、充電台１１（図１参照）に沿って設けられ、充電台１１のいずれの位置においても被充電機器４０の載置を検知できるように構成されている図示しない圧力センサを備えている。また、図１に示すように、充電装置１０は、矩形形状を有して平板状に形成されており、上面１１ａ（Ｚ１側の面）が複数の被充電機器４０を載置する充電台１１として機能するように構成されている。また、充電装置１０は、充電装置１０の前面１１ｂ（Ｙ１側の側面）に表示部１６を備えている。また、表示部１６は、被充電機器４０の個数が追加により変化した場合に、ユーザに充電する際の順序を再度選定するか否かについての問合わせを表示するように構成されている。なお、送電コイル１３は、本発明の「充電部」の一例である。
【００２３】
また、被充電機器４０は、図２に示すように、送信部４１と、受電コイル４２および整流平滑回路４３と、演算制御部４４と、充電ＩＣ４５と、ＤＣ／ＤＣコンバータ４６と、バッテリ４７とを備えている。なお、図２では、図示の都合上、１台の被充電機器４０の構成のみを示している。
【００２４】
また、充電装置１０と被充電機器４０とは通信可能に構成されている。具体的には、被充電機器４０は、送信部４１を介してバッテリ４７に関する情報などを充電装置１０に送信するように構成されている。また、充電装置１０は、被充電機器４０の送信部４１から送信されたバッテリ４７に関する情報などを受信部１２で受信するように構成されている。そして、充電装置１０は、受信した情報に基づいて複数の被充電機器４０を充電する際の順序を選定するように構成されている。また、充電装置１０は、充電台１１に被充電機器４０が載置された状態で、充電装置１０に内蔵された送電コイル１３と被充電機器４０に内蔵された受電コイル４２とが互いに対向することにより、送電コイル１３と受電コイル４２との間の相互誘導作用を利用して、充電装置１０から被充電機器４０へ送電が行われるように構成されている。
【００２５】
次に、図１および図２を参照して、充電装置１０および被充電機器４０の各部の構成について説明する。
【００２６】
図２に示すように、充電装置１０の送電コイル１３は、コイル励振部１４に接続されている。このコイル励振部１４は、送電コイル１３から受電コイル４２に相互誘導作用により送電するために、充電装置１０内の直流を交流に変換する機能を有している。また、被充電機器４０の受電コイル４２は、整流平滑回路４３に接続されている。この整流平滑回路４３は、送電コイル１３から相互誘導作用により受電した交流を整流した後、滑らかな直流に変換するように構成されている。
【００２７】
ここで、第１実施形態では、充電装置１０の充電制御部１５は、受信部１２と、表示部１６とコイル励振部１４と、ＤＣ／ＤＣコンバータ１８とにそれぞれ接続されるとともに、充電装置１０の各部を制御するように構成されている。また、充電制御部１５は、通信により取得した各々の被充電機器４０のバッテリ残容量に基づいて、被充電機器４０を充電する際の順序を選定するように構成されている。具体的には、まず、充電制御部１５は、充電開始時に最もバッテリ残容量が少ない被充電機器４０を充電対象に選定するように構成されている。そして、充電制御部１５は、充電開始時にバッテリ残容量が最も少ない被充電機器４０のバッテリ残容量を、充電開始時に２番目にバッテリ残容量が少ない被充電機器４０のバッテリ残容量と略等しくなるまで充電するように構成されている。そして、充電制御部１５は、バッテリ残容量が互いに略等しくなった場合には、充電開始時に２番目にバッテリ残容量が少ない被充電機器４０を充電対象に追加するように構成されている。すなわち、充電制御部１５は、バッテリ残容量が略等しくなった被充電機器４０を順次充電対象に追加しながら充電するように、各々の被充電機器４０を充電する際の順序を選定するように構成されている。また、充電制御部１５は、複数の被充電機器４０を並行して充電する場合には、各々の被充電機器４０のバッテリ残容量が互いに略等しい状態を維持しながら充電するように構成されている。
【００２８】
また、第１実施形態では、充電制御部１５は、充電対象の被充電機器４０が追加または削除された場合には、個数が変化した後の複数の被充電機器４０のバッテリ残容量に基づいて、充電する際の順序を再度選定することが可能に構成されている。ただし、被充電機器４０が追加された場合において、ユーザが追加された被充電機器４０を含む充電台１１（図１参照）に載置されている全ての被充電機器４０を対象とした充電の順序を再度選定する必要がないと判断した場合には、充電する際の順序を再度選定する動作は行われない。
【００２９】
また、第１実施形態では、充電制御部１５は、充電台１１上に新たな被充電機器４０が載置された場合に、ユーザに対して、充電する際の順序を再度選定するか否かについて問い合わせる表示を表示部１６に表示する制御を行う。また、充電制御部１５は、この問い合わせる表示に対して、ユーザが被充電機器４０を充電する際の順序を再度選定する必要があると判断をした場合には、新たに充電台１１上に載置された被充電機器４０を含めて、充電台１１上に載置された全ての被充電機器４０を充電する際の順序を再度選定するように構成されている。
【００３０】
また、充電装置１０のアダプタ１７は、内蔵されたＡＣ／ＤＣコンバータ１７ａで電源から供給される交流を直流に変換する機能を有している。そして、充電制御部１５は、直流をＤＣ／ＤＣコンバータ１８により降圧または昇圧した後に充電装置１０の各部に供給するように構成されている。
【００３１】
また、被充電機器４０の演算制御部４４は、送信部４１と、充電ＩＣ４５とに接続されるとともに、被充電機器４０の各部を制御するように構成されている。また、演算制御部４４は、バッテリ４７から取得したバッテリ４７の残量（ｍＡｈ）をバッテリ残容量（％）に換算して、通信により充電装置１０の充電制御部１５に伝達するように構成されている。
【００３２】
また、充電ＩＣ４５は、受電コイル４２から供給され、ＤＣ／ＤＣコンバータ４６により降圧または昇圧された直流を、所定の充電電流に変更してバッテリ４７に供給するように構成されている。
【００３３】
次に、図３および図４を参照して、複数の被充電機器４０（図１参照）に対して充電する際の順序を選定するとともに、各々の被充電機器４０のバッテリ残容量が互いに略等しくなるように充電するための充電制御部１５（図２参照）の充電処理フローについて説明する。また、具体例として、充電装置１０（図１参照）の充電台１１（図１参照）上には３台の被充電機器４０ａ〜４０ｃが載置されており、これらの被充電機器４０ａ〜４０ｃのバッテリ残容量が、それぞれ３０．０％、５０．１％、８０．２％の場合について説明する。また、図３の横軸は、充電開始からの充電経過時間を表し、縦軸は、バッテリ残容量（％）を表している。
【００３４】
まず、図４に示すように、ステップＳ１において、充電制御部１５により、図示しない圧力センサにより被充電機器４０が充電台１１上に載置されたか否かが判断される。そして、被充電機器４０の載置が検知されない場合には、再びステップＳ１に戻る。また、ステップＳ１において、被充電機器４０の載置が検知された場合には、ステップＳ２において、バッテリ残容量に関する情報が被充電機器４０の送信部４１（図２参照）を介して充電装置１０の受信部１２（図２参照）へ送信されることにより、充電装置１０においてバッテリ残容量が検出される。そして、ステップＳ３に進む。
【００３５】
その後、ステップＳ３では、バッテリ残容量に基づいて各々の被充電機器４０ａ〜４０ｃへの電力配分が決定される。すなわち、被充電機器４０ａ〜４０ｃを充電する際の順序と、電力の振り分けとが決定される。そして、ステップＳ４に進む。
【００３６】
ステップＳ４では、充電制御部１５が、バッテリ残容量の最も少ない被充電機器４０ａの位置に対応した送電コイル１３に電流を流し、相互誘導により受電コイル４２に送電することで、充電が開始される。その結果、図３に示すように、充電開始時から約１０分経過後に被充電機器４０ａのバッテリ残容量は、４０．０％となる。そして、ステップＳ５に進む。
【００３７】
次に、ステップＳ５では、圧力センサ（図示せず）により、充電台１１上の被充電機器４０の個数の減少が検知されたか否かが充電制御部１５により判断される。そして、被充電機器４０の個数が減少したことが検知された場合には、再びステップＳ２に戻り、充電台１１上に残された被充電機器４０に対して、バッテリ残容量に基づいて電力配分を再度決定する。また、被充電機器４０の個数が減少したことが検知されない場合には、ステップＳ６に進む。
【００３８】
次に、ステップＳ６では、圧力センサにより、充電台１１上の被充電機器４０の個数の増加が検知されたか否かが判断される。そして、被充電機器４０の個数が増加したことが検知された場合には、ステップＳ７に進む。また、被充電機器４０の個数が増加したことが検知されない場合には、ステップＳ９に進む。次に、ステップＳ７において、充電する際の順序を再度選定するか否かについて問い合わせる表示が表示部１６に表示される。そして、ステップＳ８に進む。
【００３９】
次に、ステップＳ８では、ユーザにより、充電装置１０に対して充電する際の順序を再度選定させる操作が行われたか否かが判断される。そして、ユーザにより、充電装置１０に対して充電する際の順序を再度選定させる操作が行われたと判断された場合、再びステップＳ２に戻る。
【００４０】
また、ステップＳ９では、充電開始時におけるバッテリ残容量が最小の被充電機器４０ａが目標値まで充電されたか否かが判断される。この時点では、被充電機器４０ａは、バッテリ残容量が４０．０％であり、被充電機器４０ｂのバッテリ残容量５０．１％よりも小さいため、ステップＳ４に戻り、バッテリ残容量５０．１％と略等しくなるまで、充電が継続される。そして、ステップＳ９において、バッテリ残容量が被充電機器４０ｂの５０．１％と略等しくなったと判断された場合（図３における充電開始時から約２０分経過後）、ステップ１０に進む。
【００４１】
ステップＳ１０では、全ての被充電機器４０ａ〜４０ｃが満充電となったか否かが判断される。そして、全ての被充電機器４０ａ〜４０ｃが満充電となっていない場合には、再びステップＳ４に戻り、バッテリ残容量の略等しくなった複数の被充電機器４０が並行して充電される。また、ステップＳ１０において、全ての被充電機器４０ａ〜４０ｃの充電が満充電になったと判断された場合には、充電装置１０から被充電機器４０への送電が停止されることにより、充電が終了される。この時点では、被充電機器４０ａ〜４０ｃが満充電となっていないので、ステップＳ４に戻る。次に、ステップＳ４において、バッテリ残容量が５０．０％で略等しくなった被充電機器４０ａおよび被充電機器４０ｂのそれぞれに並行して充電が行われる。
【００４２】
また、しばらくはステップＳ４〜Ｓ９が繰り返されることにより、バッテリ残容量が少ない被充電機器４０ａおよび被充電機器４０ｂの互いのバッテリ残容量が略等しくなるように並行して充電が行われる。そして、被充電機器４０ａおよび被充電機器４０ｂのバッテリ残容量がそれぞれ８０．０％および８０．１％となった時点（図３における充電開始時から約６５分経過後）で、充電対象に被充電機器４０ｃが加わり、被充電機器４０ａ〜４０ｃの充電が並行して行われる。その後は、被充電機器４０ａ〜４０ｃに対してステップＳ４〜Ｓ９が繰り返され、図３における充電開始時から約１３５分経過後に被充電機器４０ａ〜４０ｃ全てのバッテリ残容量が略１００％に到達される。この場合、ステップＳ１０では、全ての被充電機器４０ａ〜４０ｃが満充電となっているので、充電装置１０から被充電機器４０ａ〜４０ｃへの送電が停止される。このようにして、充電制御部１５の充電処理フローが終了する。
【００４３】
第１実施形態では、上記のように、複数の被充電機器４０の各々のバッテリ残容量に基づいて、各々の被充電機器４０のいずれか１つまたは複数を並行して充電する制御を行うように充電制御部１５を構成することによって、各被充電機器４０のバッテリ残容量が把握された状態で各々の被充電機器４０への充電動作が行われるので、複数の被充電機器４０の中に充電動作が完全に後回しにされて、充電量が不十分かまたは充電が全く行われないままの被充電機器４０が発生するのを回避することができる。これにより、複数の被充電機器４０を充電する際に、充電時間を十分に確保しにくいような場合においても、充電された被充電機器の中に、使用開始後早期にバッテリ残容量が少なくなる被充電機器４０が含まれるのを抑制することができる。
【００４４】
また、第１実施形態では、充電制御部１５は、複数の被充電機器４０の各々のバッテリ残容量に基づいて、複数の被充電機器４０を充電する際の順序を選定するとともに、選定された順序に基づいて各々の被充電機器４０のいずれか１つまたは複数を並行して充電する制御を行うように構成する。これにより、バッテリ残容量に基づいて、複数の被充電機器４０を充電する際の順序を最適化することができるので、各々の被充電機器４０に対して充電時間を十分に確保しにくいような場合においても、充電された被充電機器４０の中に、使用開始後早期にバッテリ残容量が少なくなる被充電機器４０が含まれるのを確実に抑制することができる。
【００４５】
また、第１実施形態では、充電制御部１５は、複数の被充電機器４０の各々のバッテリ残容量に基づいて、複数の被充電機器４０の各々のバッテリ残容量が充電時において互いに略等しくなるように各々の被充電機器４０のいずれか１つまたは複数を並行して充電する制御を行うように構成する。これにより、充電後の複数の被充電機器４０が有するバッテリ残容量を互いに略均等化させることができるので、いずれの被充電機器４０においても使用開始後にバッテリ残量が早期に少なくなるのを抑制して、一定の使用時間を確保することができる。
【００４６】
また、第１実施形態では、バッテリ残量は、バッテリ残容量である。これにより、バッテリ残量がバッテリ動作可能時間である場合と比較して、バッテリの消費状態を容易に把握することができる。
【００４７】
また、第１実施形態では、充電制御部１５は、複数の被充電機器４０のうち充電部によって充電中の被充電機器４０のバッテリ残容量が、充電部により充電されていない被充電機器４０のバッテリ残容量と略等しくなった際に、充電中の被充電機器４０に加えて、バッテリ残容量が略等しくなった充電されていない被充電機器４０を並行して充電する制御を行うように構成する。これにより、バッテリ残容量の略等しくなった複数の被充電機器４０をさらに同時並行的に充電することができるので、充電後の複数の被充電機器４０が有するバッテリ残容量を互いに略均等化させることができる。
【００４８】
また、第１実施形態では、充電制御部１５は、複数の被充電機器４０の各々のバッテリ残容量に基づいて複数の被充電機器４０を充電する際の順序を選定するとともに、充電部により充電される複数の被充電機器４０の個数が被充電機器４０の追加または削除により変化した場合に、個数が変化した複数の被充電機器４０のバッテリ残容量に基づいて複数の被充電機器４０を充電する際の順序を再度選定する制御を行うように構成する。これにより、被充電機器４０が追加された場合には、充電する順序を再度選定することにより追加された被充電機器４０の充電が後回しにされるのを防ぐことができるので、被充電機器４０が追加される前の時点で充電動作を継続していた被充電機器４０の充電が完了するまでの間に追加された被充電機器４０を使用するような場合でも、使用開始後早期にバッテリ残容量が少なくなる被充電機器４０が含まれるのを抑制することができる。また、被充電機器４０が削除された場合には、充電する順序を再度選定することにより削除された被充電機器４０に対する充電時間を他の被充電機器４０に対する充電時間に置き換えることができるので、被充電機器４０が削除される前の時点で充電の順序が遅く選定されていた被充電機器４０を繰り上げてより早く充電することができる。
【００４９】
また、第１実施形態では、充電に関する情報を表示する表示部１６をさらに備え、充電制御部１５は、複数の被充電機器４０の個数が被充電機器４０の追加により変化した場合に、複数の被充電機器４０を充電する際の順序を再度選定するか否かについて問合わせる表示を表示部１６に表示する制御を行うように構成する。これにより、ユーザが、充電する順序を再度選定する必要がないと判断した場合には、追加された被充電機器４０を後回しにして充電することができるので、被充電機器４０の個数を追加する前の時点で充電の順序が早く選定されていた被充電機器４０を優先して迅速に充電することができる。
【００５０】
（第２実施形態）
以下、図１、図２、図５および図６を参照して、本発明の第２実施形態による充電装置２０の構成について説明する。
【００５１】
この第２実施形態では、複数の被充電機器４０のバッテリ残容量が略等しくなるように充電するように構成した第１実施形態と異なり、複数の被充電機器４０のバッテリ動作可能時間が略等しくなるような充電動作が行われるように構成した充電装置２０について説明する。
【００５２】
ここで、第２実施形態では、充電制御部２５は、まず、最もバッテリ動作可能時間が少ない被充電機器４０を充電対象に選定するように構成されている。そして、充電制御部２５は、充電開始時にバッテリ動作可能時間が最も少ない被充電機器４０のバッテリ動作可能時間と、充電開始時に２番目にバッテリ動作可能時間が少ない被充電機器４０のバッテリ動作可能時間とを略等しくなるように充電するように構成されている。そして、充電制御部２５は、互いのバッテリ動作可能時間が略等しくなった場合には、充電開始時に２番目にバッテリ動作可能時間が少ない被充電機器４０を充電対象に追加するように構成されている。すなわち、充電制御部２５は、バッテリ動作可能時間が略等しくなった被充電機器４０を順次充電対象に追加しながら充電するように、各々の被充電機器４０を充電する際の順序を選定するように構成されている。また、充電制御部２５は、複数の被充電機器４０を並行して充電する場合には、各々の被充電機器４０のバッテリ動作可能時間が互いに略等しい状態を維持しながら充電するように構成されている。なお、バッテリ動作可能時間は被充電機器４０ごとに異なるため、充電完了のタイミングは被充電機器４０ごとに異なる。
【００５３】
次に、図５および図６を参照して、複数の被充電機器４０に対して充電する際の順序を選定するとともに、各々の被充電機器４０のバッテリ動作可能時間が互いに略等しくなるように充電するための充電制御部２５の充電処理フローについて説明する。また、具体例として、充電装置２０の充電台１１上には３台の被充電機器４０ａ〜４０ｃが載置されており、これらの被充電機器４０ａ〜４０ｃのバッテリ動作可能時間が、それぞれ２．０時間、３．０時間、５．０時間の場合について説明する。また、被充電機器４０ａ〜４０ｃは、それぞれ４．０時間、４．０時間および６．０時間で満充電となる。また、図５の横軸は、充電開始からの充電経過時間を表し、縦軸は、バッテリ動作可能時間を表している。また、図６では、第１実施形態の図４に示す処理に対応する部分を図４と同一の符号で示している。
【００５４】
まず、ステップＳ１では、被充電機器４０が充電台１１上に載置されたか否かが判断される。そして、被充電機器４０の載置が検知されない場合には、再びステップＳ１に戻る。被充電機器４０の載置が検知された場合には、ステップＳ２ａに進む。次に、ステップＳ２ａにおいて、バッテリ動作可能時間に関する情報が被充電機器４０の送信部４１（図２参照）を介して充電装置１０の受信部１２（図２参照）へ送信されることにより、充電装置１０においてバッテリ動作可能時間が検出される。そして、ステップＳ３ａに進む。
【００５５】
次に、ステップＳ３ａでは、バッテリ動作可能時間に基づいて各々の被充電機器４０ａ〜４０ｃへの電力配分が決定される。すなわち、被充電機器４０ａ〜４０ｃを充電する際の順序と、電力の振り分けとが決定される。そして、ステップＳ４ａに進む。
【００５６】
次に、ステップＳ４ａでは、充電制御部２５が、バッテリ動作可能時間の最も少ない被充電機器４０ａの位置に対応した送電コイル１３に電流を流し、相互誘導により受電コイル４２に送電することで、充電が開始される。その結果、図５に示すように、充電開始時から約３０分経過後に被充電機器４０ａのバッテリ動作可能時間は、３．０時間となる。そして、ステップＳ５に進む。
【００５７】
次に、ステップＳ５〜Ｓ８においては、第１実施形態と同様の処理が行われる。したがって、詳細については説明を省略する。そして、ステップＳ９ａに進む。
【００５８】
次に、ステップＳ９ａでは、バッテリ動作可能時間が最小の被充電機器４０ａが目標値まで充電されたか否かが判断される。この時点では、被充電機器４０ａは、バッテリ動作可能時間が３．０時間であり、被充電機器４０ｂのバッテリ動作可能時間である３．０時間と略等しいため、ステップＳ１０に進む。
【００５９】
次に、ステップＳ１０では、全ての被充電機器４０ａ〜４０ｃが満充電となったか否かが判断される。そして、全ての被充電機器４０ａ〜４０ｃが満充電となっていない場合には、再びステップＳ４ａに戻り、バッテリ動作可能時間の略等しくなった複数の被充電機器４０が並行して充電される。また、全ての被充電機器４０ａ〜４０ｃが満充電となった場合には、充電装置２０から被充電機器４０への送電が停止されることにより、充電が終了される。この時点では、被充電機器４０ａ〜４０ｃが満充電となっていないので、ステップＳ４ａに戻る。次に、ステップＳ４ａにおいて、バッテリ動作可能時間が３．０時間で略等しくなった被充電機器４０ａおよび被充電機器４０ｂのそれぞれに並行して充電が行われる。
【００６０】
また、しばらくはステップＳ４ａ〜Ｓ９ａが繰り返されることにより、バッテリ動作可能時間が少ない被充電機器４０ａおよび被充電機器４０ｂの互いのバッテリ動作可能時間が略等しくなるように並行して充電が行われる。そして、被充電機器４０ａおよび被充電機器４０ｂのバッテリ動作可能時間がともに略４時間（満充電）となった時点（図５における充電開始時から約９０分経過後）で、被充電機器４０ａおよび被充電機器４０ｂへの充電が終了される。そして、ステップＳ４ａにおいて、充電対象が被充電機器４０ｃに移り、被充電機器４０ｃの充電が開始される。なお、この時点で、被充電機器４０ａおよび被充電機器４０ｂのバッテリ動作可能時間は、被充電機器４０ｃのバッテリ動作可能時間よりも少ないが、既に満充電のため充電の対象から外される。そして、被充電機器４０ｃに対してステップＳ４ａ〜Ｓ９ａが繰り返され、図５における充電開始時から約１３５分経過後に被充電機器４０ｃは、バッテリ動作時間が略６時間まで充電されて満充電となった時点に到達される。この場合、ステップＳ１０では、全ての被充電機器４０ａ〜４０ｃが満充電となるため、充電装置２０から被充電機器４０ａ〜４０ｃへの送電が停止される。このようにして、充電制御部２５の充電処理フローが終了する。
【００６１】
なお、第２実施形態のその他の構成は、上記第１実施形態と同様である。
【００６２】
第２実施形態では、上記のように、複数の被充電機器４０の各々のバッテリ動作可能時間に基づいて、各々の被充電機器４０のいずれか１つまたは複数を並行して充電する制御を行うように充電制御部２５を構成することによって、各被充電機器４０のバッテリ動作可能時間が把握された状態で各々の被充電機器４０への充電動作が行われるので、複数の被充電機器４０の中に充電動作が完全に後回しにされて、充電量が不十分かまたは充電が全く行われないままの被充電機器４０が発生するのを回避することができる。これにより、複数の被充電機器４０を充電する際に、充電時間を十分に確保しにくいような場合においても、充電された被充電機器４０の中に、使用開始後早期にバッテリ動作可能時間が少なくなる被充電機器４０が含まれるのを抑制することができる。
【００６３】
また、第２実施形態では、バッテリ残量は、バッテリ動作可能時間である。これにより、バッテリ残量がバッテリ残容量である場合と異なり、各々の被充電機器における使用時間のばらつきを抑制することができる。また、各々の被充電機器４０の動作可能時間のばらつきを少なくすることができるので、複数の被充電機器４０を同時に使用する際に単一の被充電機器４０の動作時間に作業が制限されるような不都合を抑制することができる。
【００６４】
なお、第２実施形態のその他の効果は、上記第１実施形態と同様である。
【００６５】
（第３実施形態）
以下、図１、図２、図７および図８を参照して、本発明の第３実施形態による充電装置３０の構成について説明する。
【００６６】
この第３実施形態では、複数の被充電機器４０のバッテリ残容量が略等しくなるように充電するように構成した第１実施形態と異なり、複数の被充電機器４０のバッテリ消費量が略等しくなるような充電動作が行われるように構成した充電装置３０について説明する。
【００６７】
ここで、第３実施形態では、充電制御部３５は、まず、最もバッテリ消費量が多い被充電機器４０を充電対象に選択するように構成されている。そして、充電制御部３５は、充電開始時にバッテリ消費量が最も多い被充電機器４０のバッテリ消費量と、充電開始時に２番目にバッテリ消費量が多い被充電機器４０のバッテリ消費量とを略等しくなるように充電するように構成されている。そして、充電制御部３５は、互いのバッテリ消費量が略等しくなった場合には、充電開始時に２番目にバッテリ消費量が多い被充電機器４０を充電対象に追加するように構成されている。すなわち、充電制御部３５は、バッテリ消費量が略等しくなった被充電機器４０を順次充電対象に追加しながら充電するように、各々の被充電機器４０を充電する際の順序を選定するように構成されている。また、充電制御部３５は、複数の被充電機器４０を並行して充電する場合には、各々の被充電機器４０のバッテリ消費量が互いに略等しい状態を維持しながら充電するように構成されている。
【００６８】
次に、図７および図８を参照して、複数の被充電機器４０に対して充電する際の順序を選定するとともに、各々の被充電機器４０のバッテリ消費量が互いに略等しくなるように充電するための充電制御部３５の充電処理フローについて説明する。また、具体例として、充電装置３０の充電台１１上には３台の被充電機器４０ａ〜４０ｃが載置されており、これらの被充電機器４０ａ〜４０ｃのバッテリ消費量が、それぞれ７００．０ｍＡｈ、４００．０ｍＡｈ、２５０．０ｍＡｈの場合について説明する。また、図７の横軸は、充電開始からの充電経過時間を表し、縦軸は、バッテリ消費量を表している。また、図８では、第１実施形態の図４に示す処理に対応する部分を図４と同一の符号で示している。
【００６９】
まず、ステップＳ１では、被充電機器４０が充電台１１上に載置されたか否かが判断される。そして、被充電機器４０の載置が検知されない場合には、再びステップＳ１に戻る。被充電機器４０の載置が検知された場合には、ステップＳ２ｂに進む。次に、ステップＳ２ｂにおいて、通信によりバッテリ消費量が検出される。そして、ステップＳ３ｂに進む。
【００７０】
次に、ステップＳ３ｂでは、バッテリ消費量に基づいて各々の被充電機器４０ａ〜４０ｃへの電力配分が決定される。すなわち、被充電機器４０ａ〜４０ｃを充電する際の順序と、電力の振り分けとが決定される。そして、ステップＳ４ｂに進む。
【００７１】
次に、ステップＳ４ｂでは、充電制御部３５が、バッテリ消費量の最も多い被充電機器４０ａの位置に対応した送電コイル１３に電流を流し、相互誘導により受電コイル４２に送電することで、充電が開始される。その結果、図７に示すように、充電開始時から約３０分後に被充電機器４０ａのバッテリ消費量は、４００．０ｍＡｈとなる。そして、ステップＳ５に進む。
【００７２】
次に、ステップＳ５〜Ｓ８では、第１実施形態と同様の処理が行われる。したがって、詳細については説明を省略する。そして、ステップＳ９ｂに進む。
【００７３】
次に、ステップＳ９ｂでは、バッテリ消費量が最大の被充電機器４０ａが目標値まで充電されたか否かが判断される。この時点では、被充電機器４０ａは、バッテリ消費量が４００．０ｍＡｈであり、被充電機器４０ｂのバッテリ消費量４００．０ｍＡｈと略等しいため、ステップＳ１０に進む。
【００７４】
次に、ステップＳ１０では、全ての被充電機器４０ａ〜４０ｃが満充電となったか否かが判断される。そして、全ての被充電機器４０ａ〜４０ｃが満充電となっていない場合には、再びステップＳ４ｂに戻り、バッテリ消費量の略等しくなった複数の被充電機器４０が並行して充電される。また、全ての被充電機器４０ａ〜４０ｃが満充電となった場合には、充電装置３０から被充電機器４０への送電が停止されることにより、充電が終了される。この時点では、被充電機器４０ａ〜４０ｃが満充電となっていないので、ステップＳ４ｂに戻る。次に、ステップＳ４ｂにおいて、バッテリ消費量が４００．０ｍＡｈで略等しくなった被充電機器４０ａおよび被充電機器４０ｂのそれぞれに並行して充電が行われる。
【００７５】
また、しばらくはステップＳ４ｂ〜Ｓ９ｂが繰り返されることにより、バッテリ消費量が少ない被充電機器４０ａおよび被充電機器４０ｂの互いのバッテリ消費量が略等しくなるように並行して充電が行われる。そして、被充電機器４０ａおよび被充電機器４０ｂのバッテリ消費量がともに２５０．０ｍＡｈとなった時点（図７における充電開始時から約６０分経過後）で、充電対象に被充電機器４０ｃが加わり、被充電機器４０ａ〜４０ｃの充電が並行して行われる。その後は、被充電機器４０ａ〜４０ｃに対してステップＳ４ｂ〜Ｓ９ｂが繰り返され、図７における充電開始時から１３５分経過後に被充電機器４０ａ〜４０ｃ全てのバッテリ消費量が略０ｍＡｈに到達される。この場合、ステップＳ１０では、全ての被充電機器２２ａ〜２ｃが満充電となっているので、充電装置３０から被充電機器４０ａ〜４０ｃへの送電が停止される。このようにして、充電制御部３５の充電処理フローが終了する。
【００７６】
なお、第３実施形態のその他の構成は、上記第１実施形態と同様である。
【００７７】
第３実施形態では、上記のように、複数の被充電機器４０の各々のバッテリ消費量に基づいて、各々の被充電機器４０のいずれか１つまたは複数を並行して充電する制御を行うように充電制御部３５を構成することによって、各被充電機器４０のバッテリ消費量が把握された状態で各々の被充電機器４０への充電動作が行われるので、複数の被充電機器４０の中に充電動作が完全に後回しにされて、充電量が不十分かまたは充電が全く行われないままの被充電機器４０が発生するのを回避することができる。これにより、複数の被充電機器４０を充電する際に、充電時間を十分に確保しにくいような場合においても、充電された被充電機器４０の中に、使用開始後早期にバッテリ残量が少なくなる被充電機器４０が含まれるのを抑制することができる。
【００７８】
なお、第３実施形態のその他の効果は、上記第１実施形態と同様である。
【００７９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００８０】
たとえば、上記第１〜第３実施形態では、充電開始時において各々の被充電機器４０への電力配分を決定して充電するように構成したが、本発明はこれに限られない。本発明では、各々の被充電機器４０の充電中においても、充電装置１０（２０、３０）と各々の被充電機器４０との間で通信を行い、逐次電力配分を調整するように構成してもよい。
【００８１】
また、上記第１〜第３実施形態では、被充電機器４０の台数が増加した場合には、表示部１６に増加したことを表示してユーザの判断に基づいて充電する順番を再度選定するように構成したが、本発明はこれに限られない。本発明では、たとえば表示部１６に増加したことを表示することなく、ユーザの判断によらず、充電する順序を再度選定するように構成してもよい。また、この場合には、表示部１６はなくてもよい。
【００８２】
また、上記第１〜第３実施形態では、表示部１６を充電装置１０の前面１１ｂ（Ｙ１側の側面）に設けるように構成したが、本発明はこれに限られない。本発明では、表示部１６はユーザが視認できる箇所であれば、充電装置１０のいずれの場所に設けてもよい。たとえば、充電装置１０の上面１１ａ（Ｚ１側の面）に設けてもよい。
【００８３】
また、上記第１〜第３実施形態では、満充電となった場合に充電が完了するように構成したが、本発明はこれに限られない。本発明では、たとえば、満充電前の所定のバッテリ残量の状態で充電が完了するように構成してもよい。
【００８４】
また、上記第１〜第３実施形態では、被充電機器４０の台数が３台である例を示したが、本発明はこれに限られない。本発明では、被充電機器４０の台数は３台以外の複数であってもよい。
【００８５】
また、上記第１〜第３実施形態では、送電コイル１３の数が９個である例を示したが、本発明はこれに限られない。本発明では、送電コイル１３は９個以外の複数であってもよい。
【００８６】
また、上記第１〜第３実施形態では、説明の便宜上、本発明の充電制御部１５の処理を処理フローに沿って順番に処理を行うフロー駆動型のフローチャートを用いて説明したが、本発明はこれに限られない。本発明では、充電制御部１５の処理動作を、イベント単位で処理を実行するイベント駆動型（イベントドリブン型）の処理により行ってもよい。この場合、完全なイベント駆動型で行ってもよいし、イベント駆動およびフロー駆動を組み合わせて行ってもよい。
【００８７】
また、上記第１〜第３実施形態では、非接触型の充電装置１０（２０、３０）により充電を行う構成を示したが、本発明はこれに限られない。本発明では、接触型の充電装置により充電を行う構成でもよい。たとえば、複数の充電用ケーブルが直接的に複数の被充電機器に接続されるように構成してもよい。
【００８８】
また、上記第１〜第３実施形態では、小型または中型の電子機器に搭載される被充電機器（バッテリ）４０に対して本発明を適用した例について示したが、本発明はこれに限られない。たとえば、自動車やバス・トラックなどの車両（商用車）に搭載される被充電機器（バッテリ）に対して本発明を適用してもよい。また、公官庁向けの公用車や、商用車（ルート販売用営業車、タクシー、レンタカーなど）が使用されるような産業分野においては、ＥＶ（電気自動車）や内燃機関および電動モータを併用したハイブリッド型自動車などに搭載される被充電機器に対して本発明を適用してもよい。個々の自動車（公用車や商用車）にバッテリが搭載され、これらバッテリが搭載された複数台の自動車が共通の使用目的を有するような事業形態においては、充電時間を十分に確保しにくいような場合においても、充電された被充電機器の中に使用開始後早期にバッテリ残量が少なくなる被充電機器が含まれるのを抑制することができる。この点で、本発明における「充電装置」および「充電方法」は非常に有用である。
【符号の説明】
【００８９】
１０、２０、３０  充電装置
１３  送電コイル（充電部）
１５、２５、３５  充電制御部   
１６  表示部
４０  被充電機器
４０ａ、４０ｂ、４０ｃ  被充電機器
【図１】
2014230433.tif 000003
【図２】
2014230433.tif 000004
【図３】
2014230433.tif 000005
【図４】
2014230433.tif 000006
【図５】
2014230433.tif 000007
【図６】
2014230433.tif 000008
【図７】
2014230433.tif 000009
【図８】
2014230433.tif 000010